(57)【要約】【課題】  遊技機を設置台の所定位置に設置したら、遊技者又は不法者が遊技機を勝手に動かすことができないようにし、遊技機へのメダル補給の乱れ又は遊技機内のメダルホッパーからのメダルの盗難を防ぐことにある。【解決手段】  設置される遊技機Ｐの上方の幕板ＭＰを取付ける下方水平梁部材Ｙ１の奥端に固着した取付部Ｔの水平張出面Ｔ２に、垂直なねじ軸ＳＫ１を雌ねじ筒Ｔ５を介して螺合し、同ねじ軸ＳＫ１の下端に袋ナットの下端拡巾部ＳＫ２を取付けるとともに、左右に長い取付板ＰＡ１に立設した門型係止部ＰＡ３を前記下端拡巾部によって係止して取付板ＰＡ１を吊り上げ可能とし、取付板ＰＡ１の下面にゴム層ＰＡ２を取付け、前記下端拡巾部ＳＫ２が取付板ＰＡ１の上面を加圧して、ゴム層ＰＡ２を遊技機Ｐの天井面ＰＴに圧接して遊技機Ｐを固定する。【選択図】図６
2019129907.tif 000002
【特許請求の範囲】
【請求項１】
遊技場の設置台上の所定設置位置に載置された遊技機の固定装置であって、
設置された遊技機の上方又は後方位置で設置台側に固設された固定構造体と、設置された遊技機のケーシングの天井面に下面を圧接させるとその間の摩擦力で遊技機の動きを制止する摩擦係数が高い摩擦面を剛性ある取付板の下面に有する制動パットと、同制動パットをケーシングの天井面に向けて上下動させる昇降機構と、設置された遊技機のケーシングの天井面の上方位置に前記昇降機構を取付ける取付部位を有し且つ前記固定構造体に連結支持された取付部と、同取付部の取付部位に取付けられた前記昇降機構を操作によって制動パットの上下位置を調整できる操作部との構成を有し、操作部を操作して制動パットを遊技機のケーシングの天井面に圧接させることで遊技機を前後に動かすことを防止する、遊技機の固定装置。
【請求項２】
前記固定構造体が、設置される遊技機の上方で遊技機のゲーム状態を示す表示ランプを取付けた幕板の下端を支持する設置台上方に固設された下方水平梁部材であって、前記取付部は同下方水平梁部材に連結支持され、又前記幕板の一部は開放可能であり、開放可能な幕板の位置の下方水平梁部材の奥端に取付部の前記昇降機構の取付部位を設け、開放された幕板の狭い空間から昇降機構の操作部を操作可能にした、請求項１記載の遊技機の固定装置。
【請求項３】
前記固定構造体が、設置された遊技機へメダルを補給するメダル補給路とその先端の補給ノズルとを保持し且つ設置された遊技機の後方で設置台に固設されたメダル補給路支持構造体であり、又前記取付部は同メダル補給路支持構造体の上部に連結支持されて設置された遊技機の天井面の上方位置まで延伸した取付連接部材の先端に昇降機構を取付けた取付部位を有する構造とし、同昇降機構の上部にその操作部を設け、更に設置される遊技機の上方に遊技機のゲーム状態を示す表示ランプを取付けた幕板を設け、前記取付部位の前方位置となる幕板の一部が開放可能とし、幕板の一部を開放して遊技機の前方上方から昇降機構の操作部を操作可能とした、請求項１記載の遊技機の固定装置。
【請求項４】
前記取付部の取付部位が、前記固定構造体に連結支持された左右に長い水平張出面を有し、同取付部位の水平張出面に垂直に前記ねじ軸を左右方向に所定間隔離して複数個螺合し、複数の前記ねじ軸の下端に設けた下部拡巾部で前記水平張出面下方に配置され且つ下面に摩擦係数が高い摩擦面を下面に有する左右に長い制動パットを吊止して前記ねじ軸の回転操作で制動パットの吊止位置の上下高さが調整できるとともに、ねじ軸の下部拡巾部の下端が制動パットの剛性ある取付板の上面を加圧できるようにし、又前記ねじ軸の上端にねじ軸を回転させるボルト頭を有し、同ボルト頭を操作部とし、同操作部を遊技機の前方上方から手又は長いねじ頭回転操作工具によって前記ボルト頭を回転させることで、制動パットの上下高さ位置の調整ができるとともに制動パットを遊技機の天井面に圧接させて遊技機の移動を防止する、請求項１〜３いずれか記載の遊技機の固定装置。
【請求項５】
前記制動パットが、左右に長い剛性ある取付板の上方に前記ねじ軸を貫通させるねじ孔を設け且つ同ねじ孔によってねじ軸の下端の下端拡巾部を係止して取付板を吊止する門型係止部を設け、又同取付板の下面に摩擦係数が高いゴム素材又はそれに代わるプラスチック素材のゴム層を摩擦面として接合した構造であり、前記昇降機構は取付部の取付部位の水平張出面に螺合された下端拡巾部を有する複数のねじ軸と，制動パットの前記門型係止部と，ねじ軸の軸頭の操作部とから構成される、請求項４記載の遊技機の固定装置。
【請求項６】
前記昇降機構の取付部位が下方水平梁部材の奥端部であり、又取付ける昇降機構は同取付部位に略垂直に取付けられる直流又は交流電源で作動する電動シリンダー又は電磁ソレノイドであって、同電動シリンダーのシリンダーロッド又は電磁ソレノイドの可動鉄心の下端に前記制動パットを取付け、前記電動シリンダー又は電磁ソレノイドに通電のＯＮ／ＯＦＦを行う開閉スイッチを前記操作部とし、同開閉スイッチを下方水平梁部材の奥端位置に設け、更に同開閉スイッチを閉路させることができる作動部を先端部に取付け且つ開放された幕板の狭い空間から開閉操作できる操作棒を備えた、請求項２記載の遊技機の固定装置。
【請求項７】
前記電動シリンダー又は電磁ソレノイドは通電されるとシリンダーロッド又は可動鉄心を上昇させて制動パットを遊技機の天井面から持ち上らせ、非通電では電動シリンダー又は電磁ソレノイドに付属させたスプリングでシリンダーロッド又は可動鉄心の下端に取付けた制動パットを下に付勢して制動パットを遊技機の天井面に圧接させる構造のものである、請求項６記載の遊技機の固定装置。
【請求項８】
操作部である開閉スイッチが、電源を給電・停電させる主電源スイッチと直列に設けられ、しかも開閉スイッチが所要の磁気又は光によって開閉動作する近接スイッチであり、前記操作棒の先端部には前記近接スイッチを閉作動させるに必要な磁気又は光を発生させる作動部を有する構造である、請求項６又は７記載の遊技機の固定装置。
【請求項９】
前記近接スイッチの配置位置と、これを作動させる操作棒の先端の作動部の配置位置とが特定の対応位置関係になければ、近接スイッチが閉路しないようにして不正な近接スイッチの作動を抑止した、請求項６〜８いずれか記載の遊技機の固定装置。
【請求項１０】
前記電動シリンダー又は電磁ソレノイドが通電されると点灯又は点滅する警告ランプが作動するように接続した、請求項６〜９いずれか記載の遊技機の固定装置。
【請求項１１】
前記電動シリンダー又は電磁ソレノイドが通電されると所要の磁力線又は光を発生させる通電信号発進部を前記近接スイッチの近くに設け、操作棒の基端部に遊技機の制動パットによる制動がなされていないことを示す警告灯を設けるとともに、同警告灯は常開の第２のスイッチを介して内蔵電池と接続し、同第２のスイッチが閉じると警告灯は点滅又は点灯するものであり、しかも前記通電信号発進部からの磁力又は光を感知すると閉動作する前記第２の近接スイッチを前記操作棒の先端の作動部又はその近くに設け、操作棒で前記近接スイッチを閉して通電状態にすると前記通電発進部が作動して、操作棒の第２の近接スイッチが閉作動して操作棒の基端部の前記警告灯が点灯又は点滅するようにした、請求項８〜１０いずれか記載の遊技機の固定装置。
【請求項１２】
前記制動パットの高い摩擦面となる取付板の下面が摩擦係数が高いゴム素材又はこれに代わる摩擦係数が高いプラスチック素材の軟質の肉厚のゴム板であり、しかもゴム板の肉厚が前方から後方に従って厚くなる三角形状とし、しかも取付板とゴム板との接触面も後方に従って高くなるようになっていて、前記ゴム板が遊技機の天井面に圧接されると遊技機の前方への移動をゴム板の摩擦力ばかりでなく楔力が働いて強く制止する、請求項１〜１１いずれか記載の遊技機の固定装置。
【発明の詳細な説明】
【技術分野】
【０００１】
本発明は、遊技場で遊技機を設置台の所定の設置位置上に載置した後、遊技機の設置位置からの移動を抑止する技術に関する。
【背景技術】
【０００２】
遊技場でのスロットル機等の遊技機は、島単位の設置台上に複数台列設されて使用されている。そして、図１，２，３，２５，３７に示すように遊技機Ｐに使用するメダルのメダル供給ライン１及びこれからメダルを取り込んで遊技機Ｐの背面から内部のメダルホッパーＰＭＨへ補給するメダル補給路２と補給ノズル２１が遊技機後方に設けられている。同補給ノズル２１は遊技機ＰのケーシングＰＨの背面に補給口ＰＯの開口を設け、同開口に補給ノズルを挿入し、補給ノズルは遊技機のケーシングの背面の補給口ＰＯ周辺にネジによって固着される図３７に示すノズル固定板１００を介して固定されている。このノズル固定板１００によって遊技機Ｐはメダル補給路側と連結され、遊技機Ｐは動かすことができないようになっていた。この技術は特許文献１で公知である。更に、安全の為に設置された遊技機は設置台に複数の木ネジによって直接固定されていた。
【０００３】
遊技場の遊技機の交換が定期的・不定期的になされているが、この交換にはノズル固定板の取り外し作業，交換後の取付け作業が必要で、手間時間のかかる作業であった。本出願人は、遊技機の交換を容易にするためノズル固定板１００を使用しないで補給ノズル２１を遊技機Ｐの背面の補給口ＰＯへ挿入するように移動させて、所定の設置位置に載置するだけで補給ノズル２１をメダル補給角度に傾けて遊技機Ｐを使用できるようにする交換作業を容易にする接続構造の技術を開発した。しかし、交換された新しい遊技機Ｐは所定設置位置で木ネジによる固定作業が必要であった。
【０００４】
この開発した接続技術によって、遊技機の交換作業がきわめて容易に且つ迅速にできるようになった。しかし、メダル補給路の接続した後、遊技機Ｐをその設定位置に固定するための木ネジによる設置台への直接固定の作業が残されていた。交換する前の設置されている遊技機Ｐを交換のため取り除く作業でも、遊技機Ｐを固定している木ネジを取り外ししてからでないと遊技機Ｐを取り除くことができなかった。そのため、遊技機の交換作業に手間・時間がかかっていた。しかし、この遊技機Ｐの設置台への固定作業を省くことができなかった。もし、遊技機Ｐが設置位置に固定する手段がなければ遊技者又は不法者によって遊技機が移動され、メダルの盗難又は遊技機へのメダル補給が正常にできなくなるという問題があった。そのため、遊技機Ｐが設置位置から動かないように固定作業が必要とされていた。本出願人が開発した上記の接続技術での固定手段は遊技機の上部・後方の固定部材に、遊技機のケーシングの天井面に向けて垂直なねじ軸を取付け、垂直なねじ軸の下端を直接ケーシングの天井面に押し当てることで遊技機の移動を防止していた。しかし、これではねじ軸の下端で遊技機の交換作業の際に天井面が傷つける可能性があるという欠点があった。
一方、ねじ軸を遊技機の天井面の雌ねじに螺合する方法であれば天井面を傷つけないが、ねじ軸と雌ねじの位置合せが面倒となるとともに、天井面に雌ねじを取付ける加工が必要となるという欠点があった。
【先行技術文献】
【特許文献】
【０００５】
【特許文献１】特開２０１２−１３５４２４号公報
【発明の概要】
【発明が解決しようとする課題】
【０００６】
本発明が解決しようとする課題は、従来の上記の問題点・欠点を解消し、遊技機を設置台の所定位置に設置したら遊技者又は不法者が遊技機を勝手に動かすことができないようにし、遊技機の設置位置からの移動によるメダル補給の乱れを防ぎ、又遊技機内のメダルホッパーからのメダルの盗難を防ぐことにあり、加えて遊技機の固定及びそのロックの解除が遊技場の店員によって容易且つ迅速に行えることで遊技機の交換作業が迅速にできるようにすることにある。更に、交換作業時の遊技機ケーシングの天井面の傷をつけることを少なくすることにある。
【課題を解決するための手段】
【０００７】
かかる課題を解決した本発明の構成は、
１）  遊技場の設置台上の所定設置位置に載置された遊技機の固定装置であって、
設置された遊技機の上方又は後方位置で設置台側に固設された固定構造体と、設置された遊技機のケーシングの天井面に下面を圧接させるとその間の摩擦力で遊技機の動きを制止する摩擦係数が高い摩擦面を剛性ある取付板の下面に有する制動パットと、同制動パットをケーシングの天井面に向けて上下動させる昇降機構と、設置された遊技機のケーシングの天井面の上方位置に前記昇降機構を取付ける取付部位を有し且つ前記固定構造体に連結支持された取付部と、同取付部の取付部位に取付けられた前記昇降機構を操作によって制動パットの上下位置を調整できる操作部との構成を有し、操作部を操作して制動パットを遊技機のケーシングの天井面に圧接させることで遊技機を前後に動かすことを防止する、遊技機の固定装置
２）  前記固定構造体が、設置される遊技機の上方で遊技機のゲーム状態を示す表示ランプを取付けた幕板の下端を支持する設置台上方に固設された下方水平梁部材であって、前記取付部は同下方水平梁部材に連結支持され、又前記幕板の一部は開放可能であり、開放可能な幕板の位置の下方水平梁部材の奥端に取付部の前記昇降機構の取付部位を設け、開放された幕板の狭い空間から昇降機構の操作部を操作可能にした、前記１）記載の遊技機の固定装置
３）  前記固定構造体が、設置された遊技機へメダルを補給するメダル補給路とその先端の補給ノズルとを保持し且つ設置された遊技機の後方で設置台に固設されたメダル補給路支持構造体であり、又前記取付部は同メダル補給路支持構造体の上部に連結支持されて設置された遊技機の天井面の上方位置まで延伸した取付連接部材の先端に昇降機構を取付けた取付部位を有する構造とし、同昇降機構の上部にその操作部を設け、更に設置される遊技機の上方に遊技機のゲーム状態を示す表示ランプを取付けた幕板を設け、前記取付部位の前方位置となる幕板の一部が開放可能とし、幕板の一部を開放して遊技機の前方上方から昇降機構の操作部を操作可能とした、前記１）記載の遊技機の固定装置
４）  前記取付部の取付部位が、前記固定構造体に連結支持された左右に長い水平張出面を有し、同取付部位の水平張出面に垂直に前記ねじ軸を左右方向に所定間隔離して複数個螺合し、複数の前記ねじ軸の下端に設けた下部拡巾部で前記水平張出面下方に配置され且つ下面に摩擦係数が高い摩擦面を下面に有する左右に長い制動パットを吊止して前記ねじ軸の回転操作で制動パットの吊止位置の上下高さが調整できるとともに、ねじ軸の下部拡巾部の下端が制動パットの剛性ある取付板の上面を加圧できるようにし、又前記ねじ軸の上端にねじ軸を回転させるボルト頭を有し、同ボルト頭を操作部とし、同操作部を遊技機の前方上方から手又は長いねじ頭回転操作工具によって前記ボルト頭を回転させることで、制動パットの上下高さ位置の調整ができるとともに制動パットを遊技機の天井面に圧接させて遊技機の移動を防止する、前記１）〜３）いずれか記載の遊技機の固定装置
５）  前記制動パットが、左右に長い剛性ある取付板の上方に前記ねじ軸を貫通させるねじ孔を設け且つ同ねじ孔によってねじ軸の下端の下端拡巾部を係止して取付板を吊止する門型係止部を設け、又同取付板の下面に摩擦係数が高いゴム素材又はそれに代わるプラスチック素材のゴム層を摩擦面として接合した構造であり、前記昇降機構は取付部の取付部位の水平張出面に螺合された下端拡巾部を有する複数のねじ軸と，制動パットの前記門型係止部と，ねじ軸の軸頭の操作部とから構成される、前記４）記載の遊技機の固定装置
６）  前記昇降機構の取付部位が下方水平梁部材の奥端部であり、又取付ける昇降機構は同取付部位に略垂直に取付けられる直流又は交流電源で作動する電動シリンダー又は電磁ソレノイドであって、同電動シリンダーのシリンダーロッド又は電磁ソレノイドの可動鉄心の下端に前記制動パットを取付け、前記電動シリンダー又は電磁ソレノイドに通電のＯＮ／ＯＦＦを行う開閉スイッチを前記操作部とし、同開閉スイッチを下方水平梁部材の奥端位置に設け、更に同開閉スイッチを閉路させることができる作動部を先端部に取付け且つ開放された幕板の狭い空間から開閉操作できる操作棒を備えた、前記２）記載の遊技機の固定装置
７）  前記電動シリンダー又は電磁ソレノイドは通電されるとシリンダーロッド又は可動鉄心を上昇させて制動パットを遊技機の天井面から持ち上らせ、非通電では電動シリンダー又は電磁ソレノイドに付属させたスプリングでシリンダーロッド又は可動鉄心の下端に取付けた制動パットを下に付勢して制動パットを遊技機の天井面に圧接させる構造のものである、前記６）記載の遊技機の固定装置
８）  操作部である開閉スイッチが、電源を給電・停電させる主電源スイッチと直列に設けられ、しかも開閉スイッチが所要の磁気又は光によって開閉動作する近接スイッチであり、前記操作棒の先端部には前記近接スイッチを閉作動させるに必要な磁気又は光を発生させる作動部を有する構造である、前記６）又は７）記載の遊技機の固定装置
９）  前記近接スイッチの配置位置と、これを作動させる操作棒の先端の作動部の配置位置とが特定の対応位置関係になければ、近接スイッチが閉路しないようにして不正な近接スイッチの作動を抑止した、前記６）〜８）いずれか記載の遊技機の固定装置
１０）  前記電動シリンダー又は電磁ソレノイドが通電されると点灯又は点滅する警告ランプが作動するように接続した、前記６）〜９）いずれか記載の遊技機の固定装置
１１）  前記電動シリンダー又は電磁ソレノイドが通電されると所要の磁力線又は光を発生させる通電信号発進部を前記近接スイッチの近くに設け、操作棒の基端部に遊技機の制動パットによる制動がなされていないことを示す警告灯を設けるとともに、同警告灯は常開の第２のスイッチを介して内蔵電池と接続し、同第２のスイッチが閉じると警告灯は点滅又は点灯するものであり、しかも前記通電信号発進部からの磁力又は光を感知すると閉動作する前記第２の近接スイッチを前記操作棒の先端の作動部又はその近くに設け、操作棒で前記近接スイッチを閉して通電状態にすると前記通電発進部が作動して、操作棒の第２の近接スイッチが閉作動して操作棒の基端部の前記警告灯が点灯又は点滅するようにした、前記８）〜１０）いずれか記載の遊技機の固定装置
１２）  前記制動パットの高い摩擦面となる取付板の下面が摩擦係数が高いゴム素材又はこれに代わる摩擦係数が高いプラスチック素材の軟質の肉厚のゴム板であり、しかもゴム板の肉厚が前方から後方に従って厚くなる三角形状とし、しかも取付板とゴム板との接触面も後方に従って高くなるようになっていて、前記ゴム板が遊技機の天井面に圧接されると遊技機の前方への移動をゴム板の摩擦力ばかりでなく楔力が働いて強く制止する、前記１）〜１１）いずれか記載の遊技機の固定装置
にある。
【発明の効果】
【０００８】
本発明によれば、下面に摩擦係数が高い摩擦面を有する制動パットを昇降機構で上下動させ、設置された遊技機を固定させる場合は制動パットを遊技機のケーシングの天井面に圧接させる。これによって、制動パットの下面の摩擦面が天井面と面接触して、制動パットとケーシングとは摩擦力で一体化する。しかも、この制動パットは昇降機構を取付ける取付部位は設置台上に固設された固定構造体と取付部との連結支持によって設置台側と連結して固定されて動かない。よって、制動パットが圧接された遊技機は前後及び左右方向に移動することが抑止され、動かないようにできる。これによって、遊技機の移動によるメダル補給の不良及び遊技機内のメダルホッパーからのメダル盗難をなくすことができる。
【０００９】
又、本発明で取付部の取付部位の前方の幕板が開放可能であれば、遊技場の店員等の関係者であれば幕板を開放して昇降機構の操作部を操作して遊技機の交換・引出しを容易にできる。しかも、遊技場の関係者でない者では幕板の開放することが難しいので、遊技者・不法者が遊技機のケーシング上方の昇降機構の操作部の操作を困難にして、上記のメダル補給不良とメダル盗難の防止をより確実にする。
【００１０】
更に、取付部の取付部位が左右に長く、その取付部位に取付けられる昇降機構を介して上下動される制動パットも左右に長くすれば、同制動パットは遊技機の出入れの前後に対して左右に長く遊技機のケーシングの天井面に圧接することとなり、前後方向の動きに対して高い抵抗を発生させることができ、遊技機の前後移動に対しその移動を確実に防止する。又、左右方向の動きに対しても充分な移動抵抗を発生させ、左右方向の動きも抑止する。
【図面の簡単な説明】
【００１１】
【図１】図１は実施例１，２，３においての遊技場における島での設置台から遊技機を一台取り外した状態を示す説明図である。
【図２】図２は実施例１の固定装置の要部構造を示す斜視図である。
【図３】図３は実施例１の遊技機を取り外した状態の設置台を示す分解斜視図である。
【図４】図４は実施例１の遊技機を取り外した状態の側面の説明図である。
【図５】図５は実施例１の制動パットと昇降機構の下方水平梁部材取付状態を示す断面説明図である。
【図６】図６は実施例１の制動パットを遊技機のケーシングの天井面に圧接させた状態を示す説明図である。
【図７】図７は実施例１の昇降機構の構造を示す斜視図である。
【図８】図８は実施例１の昇降機構の構造を示す分解斜視図である。
【図９】図９は実施例１の昇降機構を示す分解斜視図である。
【図１０】図１０は実施例１の位置規制枠体と接続構造との連結状態を示す斜視図である。
【図１１】図１１は実施例１の位置規制枠体と接続構造の各部品の連結状態を示す分解斜視図である。
【図１２】図１２は実施例１の位置規制枠体と主柱との連結状態を示す分解斜視図である。
【図１３】図１３は実施例１の位置規制枠体と主柱との連結状態を示す斜視図である。
【図１４】図１４は実施例１の左側上下カーソルを示す斜視図である。
【図１５】図１５は実施例１の右側上下カーソルを示す斜視図である。
【図１６】図１６は実施例１の左側上下カーソルの分解斜視図である。
【図１７】図１７は実施例１の左右の上下カーソルとこれらを連接した水平部材との連結状態を示す斜視図である。
【図１８】図１８は実施例１の水平部材に後方への加圧力が加わった場合の水平部材の後方への移動を示す説明図である。
【図１９】図１９は実施例１の水平部材の左右の上下カーソルに取付ける構造を示す分解斜視図である。
【図２０】図２０は実施例１の水平部材の左右スライド台と取付ベースとの取付構造を示す斜視図である。
【図２１】図２１は図２０に示す左右スライド台と取付ベースの取付構造の分解斜視図である。
【図２２】図２２は図２０に示す取付構造の前方からの矢視の斜視図である。
【図２３】図２３は実施例１の左右スライド台と取付ベースを示す分解斜視図である。
【図２４】図２４は実施例１の補給ノズルの高さ調整をしている状態を示す斜視図である。
【図２５】図２５は実施例１のスロットル機である遊技機のケーシングの背面の補給口の高さを確認する状態を示す斜視図である。
【図２６】図２６は実施例１の遊技機を設置する前の状態を示す説明図である。
【図２７】図２７は実施例１の遊技機を位置規制枠体の中間まで嵌入した状態の説明図である。
【図２８】図２８は実施例１の遊技機を位置規制枠体に深く嵌合して設置位置となった状態を示す説明図である。
【図２９】図２９は実施例２の固定装置の取付部の斜視図である。
【図３０】図３０は実施例２の取付部と昇降機構と制動パットを示す分解斜視図である。
【図３１】図３１は実施例２の遊技機を設置した状態を示す説明図である。
【図３２】図３２は実施例２の要部構造を示す断面図である。
【図３３】図３３は本発明の固定装置の実施例３の固定装置の要部構造を示す説明図である。
【図３４】図３４は実施例３の固定装置の電気回路と操作棒とを示す説明図である。
【図３５】図３５は本発明の実施例４の固定装置の要部構造を示す説明図である。
【図３６】図３６は実施例４の操作棒と開閉スイッチとの位置関係を示す説明図である。
【図３７】図３７は従来の補給ノズルをノズル固定板で遊技機背面に取付ける構造を示す説明図である。
【発明を実施するための形態】
【００１２】
本発明は設置台に１〜２台の遊技機がある場合でも適用できる発明であるが、スロットル機の遊技機が島に多数台配置される遊技場における遊技機の交換作業に有益である。
【００１３】
本発明の制動パットの下面の摩擦係数が高い摩擦面の素材としては、軟質のゴム板，軟質の樹脂層又は樹脂板等が採用できる。特に、前方から後方に従って厚みが増す三角形断面のゴム板を加圧すれば高い制動力が得られる。下面に硬質の小突起が多数あって摩擦係数が高い場合は、遊技機の天井面と圧接状態で遊技機をスライドさせると天井面を上記突起で傷つけるので、硬質の小突起のあるものの使用は避けることが好ましい。
【００１４】
本発明の固定装置の請求項７又は実施例３，４において、電動シリンダー又は電磁ソレノイドを使用する場合で、そのシリンダーロッド又は可動鉄心の上下位置の位置調整可能なもの又は下降位置及び上昇位置の保持と切換えが電気制御でできるものであれば、外付けの下方付勢のスプリングなしでも可能である。又、電動シリンダー又は電磁ソレノイドが下方向に付勢するスプリングを内蔵したもので通電がない場合は下方向に付勢し、通電されると上昇位置に上昇する場合では請求項７又は実施例３，４の外付けのスプリングを不要にできる。本発明は上記形態の電動シリンダー、電磁ソレノイドを使用し、外付のスプリングがないものも含むものである。
【００１５】
本発明の昇降機構は、実施例の如くねじ軸を使わずにレバー操作で制動パットを天井面に圧接させる状態と、制動パットを天井面から少し浮かす状態を可能とする下面をレバー操作のテコで上下高さ調整と加圧できる機構でも採用可能である。又、昇降機構の昇降は手動でもよいし、電動操作の両方ある。
本発明の実施例で、遊技機の背面の補給口の縦横寸法の寸法規格を大きく統一すれば、補給ノズルの上下・左右位置の調整量が少なく又は調整し直すことが不要にできることができ、遊技機の交換作業も迅速にできるようになる。しかし、補給口の面積をあまり広くすると遊技機内のメダルホッパーからのメダルの溢出又は補給されて落下したメダルが反射して補給口から外に零れでる可能性もあり、適切な寸法のものに設定する。しかし、補給口を大きく規定した上で補給ノズルの挿入部分の長さを長めにすれば、前記メダルの溢出・反射零れも少なくでき、好ましい状態となると判断される。
【００１６】
本発明の固定構造体としては、実施例２の支持構造体又は実施例１の上方の水平梁部材以外の設置台に強固に固設された部材が利用できる。実施例２は、水平梁部材と支持構造体の両方を固体構造体としている。実施例２の支持構造体は、位置規制枠体と独立して設置台に設けてもよいし、実施例２の如く支持構造体を設置台に固設した位置規制枠体と連結して安定して立設する構造としてもよいし、更には位置規制枠体を直接固定構造体としてもよい。
【００１７】
本発明の実施例では、遊技機を位置規制枠体に深く嵌合してその設置位置にした後は、遊技機を前方へ引き出しても動かないように本発明の固定装置で遊技機の設置位置をロックする。これは、遊技者が遊技機を勝手に前方に動かすことで、メダル補給の障害・メダル盗難を生起させないために必要であるからである。
【００１８】
本発明の実施例において、遊技機のケーシング側の背面壁又はケーシングに固設された作動部材による加圧力で補給ノズルの取付基端部を変向させる機構は、実施例のバネ材を使う以外に取付基端部を左右スライド台に対し常時は補給ノズルの挿入部分を略水平にし、遊技機側からの加圧で取付基端部を回動して先端の補給ノズルの挿入部分が下向きとなるようにできる機構・リンク機構でもよい。
【実施例】
【００１９】
図１〜３６に示す本発明の実施例１〜４について、以下図面に基づいて説明する。
本実施例１，２ともに、遊技場の島の長い設置台上にスロットル機の遊技機を背中合せに数十台列設させ、設置台の中央上方にメダル供給ラインを配置し、同メダル供給ラインのメダルを取り込む取り込み器を介して各遊技機へメダルを送り込むメダル補給路を設けている。遊技機から排出されるメダルは、設置台下方のメダル回収路へ送られている。
【００２０】
図１〜２８に示す実施例１では、固定構造体は島の遊技機上方に設けられる表示ランプを取付けた幕板を支持する下方水平梁部材であり、その奥端に取付部と昇降機構と制動パットとを取付けた例であり、昇降機構は取付部の左右に長い取付部位に複数取付けた雌ねじ筒に垂直な雄ネジのねじ軸を所定間隔で複数組螺合し、各ねじ軸の下端の袋ねじの下端拡巾部に制動パットの剛性ある取付板の上面に立設した門型係止部を吊すように係止し、前記剛性ある取付板の下面に左右に長いゴム層を下面の摩擦面として取付けた制動パットを吊り下げてねじ軸の回転によってねじ軸の下端拡巾部と門型係止部との係止により制動パットを上下動可能にしている。
更に、同ねじ軸の下端拡巾部の下端がケーシングの天井面上まで降された制動パットの剛性がある取付板の上面を加圧して、制動パットの下面のゴム層を遊技機のケーシングの天井面に圧接させて遊技機の設置位置からの動きを防止させた例である。
【００２１】
図２９〜３２の実施例２では、固定構造体はメダル補給路と補給ノズルを支持する支持構造体及び下方水平梁部材Ｙの両方であり、この支持構造体は遊技機の設置位置の設置台固定の位置規制枠体と連結されて遊技機の後方に固設されている。
そして、実施例２の昇降機構は実施例１と同様に取付部の左右に長い取付部位の雌ねじ筒に垂直なねじ軸を取付けている。
そして、実施例２の取付部と昇降機構は、前記支持構造体の上部に連結されて設置された遊技機の上方まで延伸した連接部材の先端に取付けられた左右に長い水平の取付部位の雌ねじ筒に所定間隔離して垂直の複数のねじ軸を螺合し、そのねじ軸の下端拡巾部で門型係止部を係止して実施例１と同様の左右に長い制動パットを吊止し、又下端拡巾部の下端が制動パットの金属製の取付板の上面を加圧できて、制動パットを遊技機のケーシングの天井面に圧接して遊技機の移動を防止した例である。
【００２２】
更に、実施例１，２の補給ノズルを支持する支持構造体は、正面（前方）の壁面に係止孔と高さの目盛を有する左右一対の主柱と、同主柱に沿って上下摺動して所定位置で係止爪で係止できる上下カーソルと、左右の上下カーソルを連接する水平部材と、同水平部材を５ｃｍ程前後に移動でき且つ前方に付勢する付勢手段と、水平部材に沿って摺動するスライド台と、同スライド台に板バネを介して補給路の補給ノズルの取付基端部とその上方の補給路部分を傾斜状態で把持する取付ベースとから構成されている。そして、この支持構造体は設置台に固定された位置規制枠体にネジで連結されて安定的に立設されている。そして、遊技機が位置規制枠体に深く嵌合された設置位置において、遊技機の前後移動をロックする本発明の固定装置が設けられている。
【００２３】
（符号の説明１／実施例１〜４の主要構成の符号の説明）
図１〜３６に示される主要構成の符号について説明する。
Ｇ１は本発明の実施例１の遊技機の固定装置、Ｇ２は本発明の実施例２の遊技機の固定装置、Ｇ３は本発明の実施例３の遊技機の固定装置、Ｇ４は本発明の実施例４の遊技機の固定装置である。又、実施例１〜４共通の主要構成として、ＣＯＮは本発明の実施例の遊技機とメダル補給路との接続構造、Ｓは遊技場の島、ＳＴは同島Ｓの長い設置台、ＳＴ１は設置台ＳＴの台脚、Ｐはスロットル機である遊技機、Ｋは設置台ＳＴ上で遊技機Ｐの横に設置されるメダル貸機、ＭＳはメダルシュート、ＰＨは遊技機Ｐのケーシング、ＰＢは遊技機ＰのケーシングＰＨの背面、ＰＯは同背面に開口された補給口、ＰＭＨは遊技機Ｐ内のメダルホッパー、ＰＴはケーシングＰＨの天井面、ＭＰは島Ｓの上方のランプＬを取付けた幕板、Ｙ１は幕板ＭＰの下方の下方水平梁部材、Ｙ２は同上方水平梁部材、Ｙ３は前記下方水平梁部材Ｙ１及び上方水平梁部材Ｙ２に設けた幕板ＭＰ嵌装用の溝である。ＭＫは設置台ＳＴ下方に設けたメダル回収ライン、Ｌはランプである。
【００２４】
（符号の説明２）
以下の符号は、本発明の実施例１，２の固定装置Ｇ１，Ｇ２の要部の構造の符号である（特に、図１，４〜９，２６〜２８，３２参照）。
ＰＡは本実施例１，２の制動パット、ＰＡ１は制動パットＰＡの剛性ある金属製取付板、ＰＡ２は取付板ＰＡ１の下面に接合させた摩擦面のゴム層、ＰＡ３は取付板ＰＡ１の上に立設した門型係止部、ＰＡ３１は同門型係止部ＰＡ３の門型フレーム、ＰＡ３２は同門型フレームの上辺中央部に設けたねじ軸ＳＫ１を貫通させたねじ孔、ＳＫは制動パットＰＡの昇降機構、ＳＫ１は取付部Ｔの取付部位Ｔ１に螺合した垂直なねじ軸、ＳＫ２は同ねじ軸ＳＫ１の下端に取付けた袋ナットで形成された下端拡巾部、ＳＫ３はねじ軸ＳＫ１の頂部の蝶状のねじ頭であって、操作部に相当する。
【００２５】
又、Ｔは本発明の昇降機構ＳＫを固定構造体である下方水平梁部材Ｙ１又は支持構造体４に取付けられる左右に長い折曲した金属板からなる連接部材でもある取付部、Ｔ１は同取付部Ｔの昇降機構ＳＫを取付ける左右に長い取付部位、Ｔ２は取付部位Ｔ１の左右に長い水平張出面、Ｔ３は実施例１の取付部Ｔを固定構造体の下方水平梁部材Ｙ１に固着させる木ネジ、Ｔ３１は同木ネジ用ネジ孔、Ｔ４は実施例２の取付部Ｔを固定構造体である支持構造体４の主柱４１の上部に固着するネジ、Ｔ５は左右に長い取付部位Ｔ１の水平張出面Ｔ２のネジ孔Ｔ５１上に所定間隔離して垂直に立設された雌ねじ筒で、ねじ軸ＳＫ１を下方に貫通するように螺合させる。Ｔ５１は水平張出面Ｔ２に設けたねじ軸ＳＫ１のネジ孔である。
【００２６】
（符号の説明３）
又、図中、実施例１〜４共通で特に図２，３，４，図１０，１１，２４〜３１におけるメダルの供給と補給構造の符号であって、１は設置台ＳＴの中間上方に設けたメダル供給ライン、１１はメダル供給ラインで搬送されるメダルを各遊技機Ｐへ送るメダル補給路２へ送り込むメダル取り込み器、２はメダル補給路、２１はメダル補給路２の先端部の剛性ある途中で水平から後斜めに折曲した補給ノズルであって、下向きに傾斜した上方の傾斜部２１０の先の下方は折曲して水平に延びた挿入部分２１１を有し、挿入部分２１１の先端にはメダルを吐出するノズル口２１２を有している。２１３は補給ノズル２１の上方位置に設けられて取付ベース６４に固着される取付基端部、２２は同取付基端部に取付けられ補給ノズル２１の上方に接続されたメダル補給路２を形成する上方が断面長円状に径が大きく拡径した拡径補給部、２３はメダル取り込み器１１と前記拡径補給部２２との間の補給路で変形変位容易な蛇腹ホースで形成されて下部が拡径補給部２２内へ挿入されたフレキシブル補給部、２４は遊技機の所定設置位置においてそのケーシングの背面からの加圧に対する取付基端部２１３の前方に傾斜状に取付けられた受圧板である。
要約すると、２１０は補給ノズル２１の傾斜部、２１１は補給ノズル２１の水平な挿入部分、２１２は補給ノズル２１の先端のノズル口、２１３は補給ノズル２１の基端を支持構造体４に取付ける部品の集まりである取付基端部である。
【００２７】
（符号の説明４）
又、図中、特に図７〜１０，図２１〜２７において、３は位置規制枠体で、３１はその左面板、３２はその右面板、３３はその背面板、３４はその底面板であって、４個所の皿ネジ孔３４１に皿ネジによって設置台ＳＴに固定されている。３４１はその皿ネジの固定用皿ネジ孔である。３５は遊技機ＰのメダルホッパーＰＭＨからのオーバーフローしたメダルを設置台ＳＴ下方のメダル回収ラインＭＫへ送るメダル回収管等を配装するための設置台ＳＴと底面板３４に設けた開口部、３６は位置規制枠体３を設置台ＳＴに固定する皿ネジを用いた木ネジである。
【００２８】
（符号の説明５）
図中、特に図１０〜２４，２６〜３１において、４はメダル補給路２と先端の補給ノズル２１の支持構造体で、実施例の固定構造体でもある。４１は左右あるＣチャンネルを使った主柱、４１１は同主柱の前方に面した正面に設けた係止孔、４１２は同係止孔の高さの目盛、４１３は同主柱を位置規制枠体３に連結するネジである。又、４２は左右ある主柱４１それぞれに取付けられて上下摺動する左右ある上下カーソル、４２１は同上下カーソル外面にその中間を枢支されて取付けられた係止爪、４２２は同係止爪の先端の爪で、主柱４１の係止孔４１１に嵌入して上下カーソル４２を固定させる。４２３は係止爪４２１の爪４２２を係止孔４１１方向へ付勢するスプリング、４２４は係止爪４２１の枢支軸、４２５は同枢支軸の軸受部、４２６は水平部材５の左右端の折曲片５１を嵌入して水平部材５を短い寸法であるが前後にスライド自在にするためのスライド溝、４２７は水平部材５の抜止め防止板、４２８は同抜止め防止板を上下カーソル４２に連結するネジである。
尚、実施例１の支持構造体４と実施例２の支持構造体４とは大部分を同じにしているが、実施例２の支持構造体４では主柱４１が少し高めで、その上端部で前方にある取付部Ｔの一部のアーム状に後方に延びた延長部をネジＴ４でもって連結した付加構造がある点で構造が異なるもので、他は実施例１の支持構造体４と同じ構造である。そして、実施例３，４の支持構造体４は実施例１の支持構造体４の方と共通の構造体としている。もちろん、実施例３，４で下方水平梁部材Ｙ１又は電動シリンダー又は電磁ソレノイドと主柱４１の上端部とを何らの部材で連結して実施例２と同様に強度を高めてもよい。
【００２９】
（符号の説明６）
図中、特に図１０，１１，１７〜２３，２７，３０，３１において、５は左右の上下カーソル４２を連接する縦板状の水平部材、５１は同水平部材の左右端それぞれに設けた折曲片であって、各折曲片は上下カーソル４２のスライド溝４２６と抜止め防止板４２７との間に差し込まれて係止されている。５２は水平部材５の中央上部に設けたスリット孔、５３はへ字状に折曲した形状を有し、一端を上下カーソル４２にネジ５２１で固着され、折曲した自由端は水平部材５を前方に付勢するようにするための板バネ材、５２１はネジである。
【００３０】
（符号の説明７）
図中、特に図１１，２０〜２３，２６，２７において、６は水平部材５に取付けられて水平部材５に沿って左右摺動して所定位置で固定できるスライド台、６１は水平部材５の上端部を挿入するスライド溝、６１１は所定の左右位置でスライド台６を水平部材５に摺動可能に保持するネジ、６２はスライド台６の前面にネジ６２１で固着されたバネ板、６２１は同バネ板６２を固着するネジ、６４は同バネ板６２に取付けられた左部材６４１と右部材６４２とこれらをバネ板６２に固着するネジ６４３とから構成される取付基端部２１３の取付ベース、左部材６４１，右部材６４２には取付基端部２１３の左右端を把持する係合面６４１１，６４２１が設けられていて、取付基端部２１３を左右の係合部材６４１，６４２に係合させてネジ６４４で固着している。６４１は左部材、６４２は右部材、６４１１は係合面、６４２１は係合面である。
【００３１】
実施例の遊技場の島Ｓには、図１に示すように遊技機Ｐと貸機Ｋが設置台ＳＴ上に多数台列設されている。図２に、その設置台ＳＴから１台の遊技機Ｐを取り外した状態を示す。尚、貸機ＫのメダルシュートＭＳは回転され、遊技機Ｐの出入れの支障ないようにしている。
【００３２】
この状態では、図１，３，４，１０，１１に示すように位置規制枠体３の左面板３１，右面板３２，底面板３４，背面板３３が露出している。又、補給ノズル２１の挿入部分２１１が水平に前方に突出するようになっている。又、その後方の支持構造体４及び取付ベース６４も露出して、上下カーソル４２，スライド台６，取付ベース６４の上下位置・左右位置を変えて、補給ノズル２１の取付基端部２１３は位置調整可能となっている。
【００３３】
遊技機Ｐのメダルは、設置台ＳＴの中央上方に設けたメダル供給ライン１から搬送されているメダルをメダル取り込み器１１によって、所定枚数メダル補給路２に取り込んでいる。メダル補給路２のメダルは、フレキシブル補給部２３，拡径補給部２２，取付基端部２１３，補給ノズル２１，ノズル口２１２を介して遊技機Ｐ内のメダルホッパーＰＭＨへ送られる。
【００３４】
使用時は、遊技機Ｐは図２８に示すようにその位置規制枠体３に深く嵌合された状態であり、遊技機Ｐの背面ＰＢが受圧板２４に圧接して垂直にしてその取付基端部２１３，取付ベース６４とも前下方向に傾いた状態から垂直状態に近くなる。これによって、取付基端部２１３に取付けていた補給ノズル２１の挿入部分２１１は下向きとなって、メダルホッパーＰＭＨへメダルを吐出する。これが使用状態である。図２０〜２３に示すように、補給ノズル２１の取付基端部２１３を取付ける取付ベース６４とスライド台６との間に介在するバネ板６２及び水平部材５の板バネ材５３は遊技機Ｐが設置位置の深い嵌合状態では、その背面ＰＢが取付基端部２１３の前方の受圧板２４を加圧してバネ板６２及び板バネ材５３を圧縮して、取付基端部２１３及び取付ベース６４を傾斜状態から垂直状態に変向する。これによって、取付基端部２１３に取付けられていた補給ノズル２１の挿入部分２１１は回転して下向きとなる（図２６〜２８参照）。バネ板６２，板バネ材５３は取付基端部を斜めから垂直に破損することなく、円滑に回動させることに寄与する。又、遊技機Ｐからの押圧に対する緩衝機能も有する。
【００３５】
（遊技機の交換作業する場合）
遊技機Ｐを設置台ＳＴから取り出す前に遊技機Ｐの固定装置Ｇ１，Ｇ２，Ｇ３，Ｇ４を解除操作で非固定状態にする。その手順は、図４〜９，２６〜２８及び図２９，３３〜３６に示す固定方法のタイプの構造に従って後述するような操作で解除する。
【００３６】
この固定装置Ｇ１〜Ｇ４は、遊技者が勝手に遊技機Ｐを前方へ移動し、内部のメダルホッパーＰＭＨのメダルの盗難されることを防ぐため及び前方に移動した状態ではメダルが正常にメダルホッパーＰＭＨへ移動しない可能性があるので、それを防ぐためである。
【００３７】
遊技機Ｐの固定装置Ｇ１〜Ｇ４の解除作業後、遊技機Ｐの交換作業は設置していた前の遊技機Ｐを位置規制枠体３から前方へ引出すだけで遊技機Ｐを設置台ＳＴの前方へ引出させる。遊技機Ｐを少し前方に引出すと、遊技機Ｐの背面ＰＢが受圧板２４，取付基端部２１３，取付ベース６４から離れると、バネ板６２及び板バネ材５３の付勢力が働いて、加圧がない自然状態では取付基端部２１３，取付ベース６４が後方に傾斜する状態となり、その取付基端部２１３が後方に傾斜すると補給ノズル２１の先端の折曲した挿入部分２１１は自動的に略水平に戻される。この略水平状態では補給ノズル２１の挿入部分２１１は遊技機Ｐの補給口ＰＯの内側にあって、遊技機Ｐが前後移動しても挿入部分２１１が補給口ＰＯの口縁・その外周口縁面と接触して係止することがない。
【００３８】
よって、遊技機Ｐを少し前方に移動すると受圧板２４に遊技機Ｐからの加圧力が失われて、板バネ材５３，バネ板６２の復原力が働いて、補給ノズル２１の挿入部分２１１は略水平となって、遊技機Ｐを前方に引出しても何ら支障なく引出せる。口外周壁と接触なく遊技機Ｐを前方へ移動できる。その状態を図２６，２７に示している。
【００３９】
次に、新しい遊技機Ｐを排除された前の遊技機Ｐの位置に新しい遊技機を設置する交換作業について説明する。
交換する新しい遊技機Ｐの補給口ＰＯの位置・寸法・メダルホッパーＰＭＨの位置・寸法が前に設置した遊技機Ｐと同じ場合では、そのまま新しい遊技機Ｐを位置規制枠体３の前方から深く嵌合するようにそのまま奥の方へ移動すれば、補給ノズル２１の挿入部分２１１は補給口ＰＯ内に挿入されていく。深く嵌合すると、遊技機Ｐの背面ＰＢが取付基端部２１３の前方に取付けた受圧板２４を押してバネ板６２及び板バネ材５３を加圧して圧縮し、取付ベース６４，取付基端部２１３は遊技機Ｐの背面ＰＢで押圧されて、垂直に近い状態となる（図２６〜２８参照）。
これによって、取付基端部２１３は加圧される前の傾斜状態（図４，２４，２６，２７参照）から図２８に示すように垂直に近い姿勢に回動され、取付基端部２１３に取付けていた補給ノズル２１の先端の挿入部分２１１は下向きに傾斜状態となる。
即ち、遊技機Ｐが深く嵌合すると水平であった補給ノズル２１の挿入部分２１１は遊技機Ｐ内に挿入された状態で下向きとなる。
よって、この挿入部分２１１のノズル口２１２から吐出されるメダルはメダルホッパーＰＭＨへ正常に落下して送られるようになる。
【００４０】
その後、遊技機Ｐを固定装置Ｇ１〜Ｇ４を使用して設置台ＳＴ上で固定させる。この状態が遊技機Ｐの使用状態となる。
【００４１】
（新しい遊技機Ｐの補給口ＰＯが前に設置していた遊技機Ｐの補給口ＰＯの位置・寸法が違う場合の交換の手順）
この場合は、前の遊技機Ｐを設置台ＳＴから引き出した状態（図１，３，４，２４，２６，２７の状態）とした後、その後方の露出した支持構造体４の左右ある上下カーソル４２の高さ及びスライド台６の左右位置を調整する。左右の上下カーソル４２の上下高さ調整は、係止爪４２１の爪４２２を係止孔４１１から引き出して目盛４１２を使用して上下所定高さにして係止爪４２１の爪４２２をその目盛４１２の係止孔４１１へスプリング４２３を使って係止させる。
次に、スライド台６を手で水平部材５に沿って動かして、補給ノズル２１の挿入部分２１１が補給口ＰＯの中心部となるようにスライド台の左右位置を調整する。ネジ６１１はスライド台６をスリット孔５２に沿って水平移動するガイドであって、スライド台６に螺着している。
このように、補給ノズル２１の挿入部分２１１を遊技機Ｐの補給口ＰＯの略中心部で略水平となるように取付基端部２１３の上下左右位置を調整する。
【００４２】
その調整後に、新しい遊技機Ｐをその位置規制枠体３に深く嵌合すれば、図２５に示すように挿入部分２１１は水平状態で新しい遊技機Ｐの補給口ＰＯの中心部に挿入され、深く嵌合した時点で受圧板２４が加圧され、前記のように挿入部分２１１は下向きとなって正常にメダルをメダルホッパーＰＭＨへ送り出せる状態となる。
【００４３】
遊技機Ｐを位置規制枠体３に設置位置の深く嵌合の位置にして、メダルを遊技機Ｐに補給できるようにした後、本発明の要部の固定装置Ｇ１〜Ｇ４を使用して遊技機Ｐをその深い嵌合位置に固定する。その固定装置Ｇ１〜Ｇ４として、実施例１〜４の４タイプの構造例を提示している。
【００４４】
図１〜９，２６〜２８で示される実施例１の固定装置Ｇ１は、島Ｓの下方水平梁部材Ｙ１の後方下面に取付部Ｔを木ネジＴ３で固着し、同取付部Ｔの後部の水平な取付部位Ｔ１に複数の垂直な雌ねじ筒Ｔ５を溶着し、この雌ねじ筒Ｔ５にねじ軸ＳＫ１を螺合している。ねじ軸ＳＫ１は取付部位Ｔ１の雌ねじ筒Ｔ５に螺合し、更に同雌ねじ筒Ｔ５の下方の取付部位Ｔ１のネジ孔Ｔ５１を介して下方へ突出し、制動パットＰＡの取付板ＰＡ１に立設された門型係止部ＰＡ３のねじ孔ＰＡ３２を貫通し、その下方で取付板ＰＡ１の上面との間でねじ軸ＳＫ１の下端に下端拡巾部ＳＫ２を形成する袋ナットが螺着されている。従って、下端拡巾部ＳＫ２の上方に門型係止部ＰＡ３を係止し、同門型係止部ＰＡ３及びこれを取付けた取付板ＰＡ１を吊り下げた状態となり、ねじ軸ＳＫ１の回転とともに取付板ＰＡ１，即ち制動パットＰＡを吊って下降させる。そして、制動パットＰＡを遊技機Ｐの天井面ＰＴに接触させる。更に、ねじ軸ＳＫ１を回転させると下端拡巾部ＳＫ２が下降して制動パットＰＡの取付板ＰＡ１の上面を加圧して、その下面のゴム層ＰＡ２を遊技機Ｐの天井面ＰＴに圧接して遊技機Ｐの移動を防止している。下方水平梁部材Ｙ１と取付部Ｔとは連結状態であり、ねじ軸ＳＫ１による圧接で遊技機Ｐを前方に移動できないようにしている。
【００４５】
次に、ねじ軸ＳＫ１を逆方向に回転させると、取付部位Ｔ１に溶着された雌ねじ筒Ｔ５が固定されているためこれに螺合したねじ軸ＳＫ１は上昇し、そのねじ軸ＳＫ１の下端の袋ナットである下端拡巾部ＳＫ２は取付板ＰＡ１の上面から上方へ持ち上げられ、制動パットＰＡの天井面ＰＴへの加圧は失われる。更に、ねじ軸ＳＫ１が回転されて上昇すると、その下端拡巾部ＳＫ２が取付板ＰＡ１に固設された門型係止部ＰＡ３に係止し、以後ねじ軸ＳＫ１の回転によって取付板ＰＡ１及び制動パットＰＡは門型係止部ＰＡ３の係止によって吊り上げられるように上方向へ持ち上げられ、その下端にあるゴム層ＰＡ２は遊技機ＰのケーシングＰＨの天井面ＰＴから上方に離れ接触がなくなり、遊技機Ｐは前後方向に自由に移動可能となる。
【００４６】
以上のねじ軸ＳＫ１の回転操作は交換する遊技機Ｐの上方の幕板ＭＰを取り外し、作業員が下方水平梁部材Ｙ１の上方前方から長いレンチ，ねじ廻し具の工具をもってねじ軸ＳＫ１上端の操作部ＳＫ３のねじ頭部を回転操作することによってなされる。この作業は、遊技者・不正な者にとって目立った行動となるため、これらの人によって遊技機Ｐが前後に移動される可能性は低い。
【００４７】
図２９〜３２に示す実施例２の固定装置Ｇ２は、実施例１の取付部Ｔが後方に長くなり、更にその一部が折曲して接続構造ＣＯＮの支持構造体４の左右の主柱４１の上部まで延びてネジＴ４によって主柱４１に連結されている。この取付部Ｔに実施例１と同じ構造のねじ軸ＳＫ１，下端拡巾部ＳＫ２，門型係止部ＰＡ３，取付板ＰＡ１，ゴム層ＰＡ２，ねじ孔ＰＡ３２，制動パットＰＡ，雌ねじ筒Ｔ５，ネジ孔Ｔ６を有するものとなっている。
【００４８】
この実施例２では取付部Ｔが下方水平梁部材Ｙ１の他に後方の支持構造体４とも連結し、取付部Ｔの保持が２つの固定構造体を有し、より強固に固定されている点及び支持構造体４が取付部Ｔと連結される構造となっている以外は、実施例２の固定装置Ｇ２と実施例１の固定装置Ｇ１とは同じ構造・作用効果のものであり、そのねじ軸ＳＫ１の操作手順も同じとなっている。又、実施例１，２の固定装置以外の構造・機能も同じであるので省略する。
更に、実施例１の図１〜８，又は実施例２の図３２に表れる制動パットＰＡの取付板ＰＡ１の下面のゴム層ＰＡ２を一定厚みのゴム層ＰＡ２とせず、実施例３，４の図３３（ａ），図３４，図３５のゴム板ＥＧＰに示すように、前方から後方に従って肉厚となる三角形状のゴム板形状にし、及び取付板ＰＡ１の加圧面も前方から後方へ高くなるように傾斜させ、しかもそのゴム層ＰＡ２を抱持する形状とすることもできる。この場合は、実施例Ｇ３，Ｇ４同様にゴム層ＰＡ２はゴムの高い摩擦力の他に前方移動に対して楔が働いて、強い制動力を得ることもできる。
【００４９】
図３３，３４に示す固定装置Ｇ３は、本発明の実施例３である。
この実施例３では、下方水平梁部材Ｙ１の奥端に直流又は交流で作動する電動シリンダーＥＳを垂直に固着し、同電動シリンダーのシリンダーロッドＥＳＲの下端に取付けた加圧板ＥＳＰの下面に左右に長いゴム板ＥＧＰを取付け、又同加圧板ＥＳＰを常時下方に付勢するスプリングＥＳＳをシリンダーロッドＥＳＲの外周に設け、電動シリンダーＥＳの電源線に手動操作又は遊技場のコンピュータ又は制御器（図示せず）の信号によって電流を開閉する各遊技機用主スイッチＭＳＷと下方水平梁部材Ｙ１の奥上面に設けた常開の磁気感知の近接スイッチＮＳＷとが直列接続されている。
この固定装置Ｇ３では遊技機の交換作業する場合、主スイッチＭＳＷを操作して閉路し、更に遊技機Ｐの上方の幕板ＭＰを取り外し、操作棒ＳＷＢを用い下方水平梁部材Ｙ１上に設置された磁気感知の近接スイッチＮＳＷを閉路させる。交換作業用の近接スイッチＮＳＷを閉作動させることができる磁石ＭＧがある作動部ＳＷＢＳを先端に取付けた操作棒ＳＷＢに備えている。尚、近接スイッチＮＳＷに代えて単なる手動スイッチにしてもよい。
【００５０】
更に、図３３，３４の固定装置Ｇ３の使い方・構造を説明する。
上記近接スイッチＮＳＷは電動シリンダーＥＳの後方から左右に少し離した位置に設け、操作棒ＳＷＢは下方水平梁部材Ｙ１の上でその作動部ＳＷＢＳの磁石ＭＧが近接スイッチＮＳＷを作動させる位置に置いて（図３４参照）、常開近接スイッチＮＳＷを作動させる閉路した状態を保つようにして、遊技機Ｐの交換作業中電動シリンダーＥＳを作動させ、ゴム板ＥＧＰを天井面ＰＴから上方に持ち上げて、遊技機Ｐの前後左右の動きを可能として交換作業に支障がないようにする。更に、電動シリンダーＥＳと並列に接続されていて、通電されると点滅する警告ランプＷＬ２を接続していて、電動シリンダーＥＳが作動しているか分るようにしている。加えて、操作棒ＳＷＢの基端には作業中であることを示す発光灯ＷＬ１をスライドスイッチＬＳＷによって内蔵電池により点灯できるようにしている。交換作業後に、操作棒ＳＷＢを下方水平梁部材Ｙ１から取り外せば、近接スイッチＮＳＷが開いて電動シリンダーＥＳは不作動となり、スプリングＥＳＳによってゴム板ＥＧＰを天井面に圧接させ、遊技機Ｐは動かないように固定される。
【００５１】
交換する遊技機Ｐに対し、主スイッチＭＳＷを閉にし且つ現場で操作棒ＳＷＢの作動部ＳＷＢＳを用いて近接スイッチＮＳＷを閉した場合のみ電動シリンダーＥＳが作動し、そのシリンダーロッドＥＳＲが縮まるように上昇し、加圧板ＥＳＰ・ゴム板ＥＧＰを遊技機Ｐの天井面ＰＴから引き上げて、遊技機Ｐの前後・左右・回転を可能にする。この状態で遊技機Ｐの交換を行う。遊技機Ｐを交換して新しい遊技機Ｐが設置完了すると、操作棒ＳＷＢを下方水平梁部材Ｙ１から排除すると近接スイッチＮＳＷが開となり、電動シリンダーＥＳは作動せずスプリングＥＳＳが加圧板ＥＳＰの下方のゴム板ＥＧＰの下面を遊技機Ｐの天井面ＰＴに加圧して、ゴム板ＥＧＰの摩擦によって遊技機Ｐを動かなくしている。又、作業しない場合は主スイッチＭＳＷを開路にして確実に遊技機Ｐを動かなくして防犯性を高める。
図３３（ａ），図３４に示すように、ゴム板ＥＧＰは前方に従って厚みが薄くなるように三角形状のゴム板ＥＧＰを保持すれば、遊技機Ｐの前方の移動に対し三角形状のゴム板ＥＧＰは摩擦力の他に楔力が働いて強力に遊技機Ｐの前方移動を阻止できる。電動シリンダーＥＳを通電すればシリンダーロッドＥＳＲが縮まって（上昇して）その下端のゴム板ＥＧＰは天井面ＰＴから離れることで遊技機Ｐの水平移動を可能としている。通電されない場合では、スプリングＥＳＳでゴム板ＥＧＰを天井面ＰＴに圧接することとなるので、常時遊技機Ｐの移動を阻止でき、固定のためのネジ・ボルトの取り付け取り外しの作業をしなくてもよく、作業性を良好にする。実施例３，４の他の構造・機能は実施例１のものと同様の構造・作用効果を有している。
【００５２】
図３５，３６に示す実施例４の固定装置Ｇ４は、下方水平梁部材Ｙ１の奥端に直流電源ＢＴで作動する電動シリンダーＥＳ（又は電磁ソレノイド）を垂直に取付けている。同電動シリンダーＥＳの近くの下方水平梁部材Ｙ１の上面にその直流電路を磁気力で開閉する常閉の近接スイッチＮＳＷ２と常開の近接スイッチＮＳＷ１とを直列に接続している。そして、近接スイッチＮＳＷ１の＋電圧路と、直流電源ＢＴの−電圧路との間に電動シリンダーＥＳと、警告ランプＷＬ２と電磁石ＥＭＧとを並列に接続している。尚、直流電源ＢＴは交流電源ＡＣをＡＣ／ＤＣ変電器ＢＴＣで直流電圧を発生させて、直流電源ＢＴに充電又は給電するのがよい。
【００５３】
この実施例４の固定装置Ｇ４では、遊技機の交換作業しない場合、通常の開店営業中の場合では、主スイッチＭＳＷが開路させている。この場合は、電動シリンダーＥＳは作動せず、スプリングＥＳＳの力によって加圧板ＥＳＰ及びゴム板ＥＧＰは遊技機Ｐの天井面ＰＴの上面に押し付けられ、断面三角形状のゴム板ＥＧＰは天井面ＰＴに圧接し、その加圧による摩擦力と及び楔力により遊技機Ｐの前後移動を止める。上記の場合、遊技者が勝手に遊技機Ｐを動かそうとしても、強く抵抗して動かすことを困難にしている。
【００５４】
次に、遊技機Ｐの交換作業の場合は、主スイッチＭＳＷを閉路し、更に操作棒ＳＷＢをその遊技機Ｐの近接スイッチＮＳＷ１を設置した下水平梁部材Ｙ１の上で磁石ＭＧがくるように操作棒ＳＷＢを置くことで磁気作動の近接スイッチＮＳＷ１が開から閉となり、近接スイッチＮＳＷ１，ＮＳＷ２ともに閉路して直流電源ＢＴが電動シリンダーＥＳと警告ランプＷＬ２と電磁石ＥＭＧに印加され、電動シリンダーＥＳは作動し、加圧板ＥＳＰ，ゴム板ＥＧＰを上方に持ち上げ、遊技機Ｐの前後移動を可能として、遊技機Ｐの交換作業を可能とする。
又、その間下方水平梁部材Ｙ１上に置かれる操作棒ＳＷＢの常開の近接スイッチＮＳＷ３は上記電磁石ＥＭＧの作動で磁気が発生し、この上方にある近接スイッチＮＳＷ３は閉路し、操作棒ＳＷＢの内蔵電池の直流電圧が発光灯ＷＬ１に印加され、点滅又は点灯して交換作業であることを示す。又、電動シリンダーＥＳに並列に接続された警告ランプＷＬ２も点滅又は点灯し、電動シリンダーＥＳが作動して遊技機Ｐの交換作業が可能であることを告知させる。交換作業完了後、操作棒ＳＷＢを作業していた遊技機Ｐの上方から移動させれば、常開近接スイッチＮＳＷ１が開路して、直流電圧の印加を停止し、警告ランプＷＬ２及び発光灯ＷＬ１ともに消灯する。この消灯によって交換作業完了を告知される。操作棒ＳＷＢは次の交換する遊技機Ｐの下方水平梁部材Ｙ１の上方へ移動させて、次の遊技機Ｐの交換を行う。
【００５５】
本実施例Ｇ３，Ｇ４とも、幕板ＭＰを外して前方を開放しなくてはならないこと、操作棒ＳＷＢの磁石ＭＧを常開の近接スイッチＮＳＷ，ＮＳＷ１の上方となる特定の位置に置かねば電動シリンダーＥＳを作動できないこと、更に実施例Ｇ４では常開の近接スイッチＮＳＷ１と常閉の近接スイッチＮＳＷ２を直列に設け、大きな磁石を近ずけるだけでは近接スイッチＮＳＷ１，ＮＳＷ２とが同時に作動して、閉路せず通電状態とならない。よって、磁石ＭＧが特定の位置でないと作動できないようにして、不正な者による電動シリンダーＥＳの作動を行えないようにしている。更に、交換作業時以外は主スイッチＭＳＷを開することで電動シリンダーＥＳが作動させないようにして、防犯上優れたものにできる。
【００５６】
本実施例の固定装置Ｇ１〜Ｇ４のタイプは必要に応じて選択して使用する。いずれの固定装置Ｇ１〜Ｇ４の解除は遊技場の管理者・従業員以外は操作できないような構造であり、遊技者が固定装置の固定状態を解除できないようにしている。
【産業上の利用可能性】
【００５７】
本発明は、スロットル機の遊技機で説明しているが、メダル・パチンコ球・コイン等を使用した他の娯楽機・物品販売機・券発行機等においても利用出来る。
【符号の説明】
【００５８】
Ｇ１    実施例１の遊技機の固定装置  
Ｇ２    実施例２の遊技機の固定装置  
Ｇ３    実施例３の遊技機の固定装置  
Ｇ４    実施例４の遊技機の固定装置  
Ｐ    遊技機
ＰＭＨ    遊技機内のメダルホッパー
ＰＨ    遊技機のケーシング
ＰＢ    ケーシングの背面
ＰＯ    補給口
ＰＴ    ケーシングの天井面
Ｓ    島
ＳＴ    設置台
ＳＴ１    台脚
ＰＡ    制動パット
ＰＡ１    取付板
ＰＡ２    ゴム層（摩擦面）
ＰＡ３    門型係止部
ＰＡ３１    門型フレーム
ＰＡ３２    ねじ孔
ＳＫ    昇降機構
ＳＫ１    ねじ軸
ＳＫ２    下端拡巾部（袋ナット）
ＳＫ３    操作部
Ｋ    貸機
ＭＳ    メダルシュート
Ｌ    ランプ
ＭＰ    幕板
Ｙ１    下方水平梁部材（固定構造体）
Ｙ２    上方水平梁部材（固定構造体）
Ｙ３    幕板嵌装用溝
ＭＫ    メダル回収ライン
ＣＯＮ    遊技機とメダル補給路との接続構造
Ｔ    取付部
Ｔ１    取付部位
Ｔ２    水平張出面
Ｔ３    木ネジ
Ｔ４    ネジ
Ｔ５    雌ねじ筒
Ｔ６    ねじ孔
１    メダル供給ライン
１１    メダル取り込み器
２    メダル補給路
２１    補給ノズル
２１０    傾斜部（基端部）
２１１    挿入部分
２１２    ノズル口
２１３    取付基端部
２２    拡径補給部
２３    フレキシブル補給部
２４    受圧板
３    位置規制枠体
３１    左面板
３２    右面板
３３    背面板
３４    底面板
３４１    ネジ孔
３５    開口部
３６    木ネジ（皿ネジ）
４    支持構造体（固定構造体）
４１    主柱
４１１    係止孔
４１２    目盛
４１３    ネジ
４２    上下カーソル
４２１    係止爪
４２２    爪
４２３    スプリング
４２４    枢支軸
４２５    軸受部
４２６    スライド溝
４２７    抜止め防止板
４２８    ネジ
５    水平部材
５１    折曲片
５２    スリット孔
５２１    ネジ
５３    板バネ材
６    スライド台
６１    スライド溝
６１１    ネジ
６２    バネ板
６２１    ネジ
６４    取付ベース
６４１    左部材
６４２    右部材
６４３    ネジ
６４４    ネジ
６４１１，６４２１    係合面
１００    従来のノズル固定板
ＥＳ    電動シリンダー
ＥＳＳ    スプリング
ＥＳＲ    シリンダーロッド
ＥＳＰ    加圧板
ＥＧＰ    ゴム板
ＥＭＧ    電磁石
ＬＳＷ    スライドスイッチ
ＭＳＷ    主スイッチ
ＮＳＷ    常開近接スイッチ
ＮＳＷ１    常開近接スイッチ
ＮＳＷ２    常閉近接スイッチ
ＮＳＷ３    常開近接スイッチ
ＳＷＢ    操作棒
ＭＧ    磁石
ＷＬ１    発光灯
ＷＬ２    警告ランプ
ＢＴ    直流電源
ＢＴＣ    ＡＣ／ＤＣ変電器
【図１】
2019129907.tif 000003
【図２】
2019129907.tif 000004
【図３】
2019129907.tif 000005
【図４】
2019129907.tif 000006
【図５】
2019129907.tif 000007
【図６】
2019129907.tif 000008
【図７】
2019129907.tif 000009
【図８】
2019129907.tif 000010
【図９】
2019129907.tif 000011
【図１０】
2019129907.tif 000012
【図１１】
2019129907.tif 000013
【図１２】
2019129907.tif 000014
【図１３】
2019129907.tif 000015
【図１４】
2019129907.tif 000016
【図１５】
2019129907.tif 000017
【図１６】
2019129907.tif 000018
【図１７】
2019129907.tif 000019
【図１８】
2019129907.tif 000020
【図１９】
2019129907.tif 000021
【図２０】
2019129907.tif 000022
【図２１】
2019129907.tif 000023
【図２２】
2019129907.tif 000024
【図２３】
2019129907.tif 000025
【図２４】
2019129907.tif 000026
【図２５】
2019129907.tif 000027
【図２６】
2019129907.tif 000028
【図２７】
2019129907.tif 000029
【図２８】
2019129907.tif 000030
【図２９】
2019129907.tif 000031
【図３０】
2019129907.tif 000032
【図３１】
2019129907.tif 000033
【図３２】
2019129907.tif 000034
【図３３】
2019129907.tif 000035
【図３４】
2019129907.tif 000036
【図３５】
2019129907.tif 000037
【図３６】
2019129907.tif 000038
【図３７】
2019129907.tif 000039
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
遊技場の設置台上の所定設置位置に載置された遊技機の固定装置であって、
設置された遊技機の上方又は後方位置で設置台側に固設された固定構造体と、設置された遊技機のケーシングの天井面に下面を圧接させるとその間の摩擦力で遊技機の動きを制止する摩擦係数が高い摩擦面を剛性ある取付板の下面に有する制動パットと、同制動パットをケーシングの天井面に向けて上下動させる昇降機構と、設置された遊技機のケーシングの天井面の上方位置に前記昇降機構を取付ける取付部位を有し且つ前記固定構造体に連結支持された取付部と、同取付部の取付部位に取付けられた前記昇降機構を操作によって制動パットの上下位置を調整できる操作部との構成を有し、操作部を操作して制動パットを遊技機のケーシングの天井面に圧接させることで遊技機を前後に動かすことを防止し、しかも前記固定構造体が、設置された遊技機へメダルを補給するメダル補給路とその先端の補給ノズルとを保持し且つ設置された遊技機の後方で設置台に固設されたメダル補給路支持構造体であり、又前記取付部は同メダル補給路支持構造体の上部に連結支持されて設置された遊技機の天井面の上方位置まで延伸した取付連接部材の先端に昇降機構を取付けた取付部位を有する構造とし、同昇降機構の上部にその操作部を設け、更に設置される遊技機の上方に遊技機のゲーム状態を示す表示ランプを取付けた幕板を設け、前記取付部位の前方位置となる幕板の一部が開放可能とし、幕板の一部を開放して遊技機の前方上方から昇降機構の操作部を操作可能とした、遊技機の固定装置。
【請求項２】
前記取付部の取付部位が、前記固定構造体に連結支持された左右に長い水平張出面を有し、同取付部位の水平張出面に垂直に前記ねじ軸を左右方向に所定間隔離して複数個螺合し、複数の前記ねじ軸の下端に設けた下部拡巾部で前記水平張出面下方に配置され且つ下面に摩擦係数が高い摩擦面を下面に有する左右に長い制動パットを吊止して前記ねじ軸の回転操作で制動パットの吊止位置の上下高さが調整できるとともに、ねじ軸の下部拡巾部の下端が制動パットの剛性ある取付板の上面を加圧できるようにし、又前記ねじ軸の上端にねじ軸を回転させるボルト頭を有し、同ボルト頭を操作部とし、同操作部を遊技機の前方上方から手又は長いねじ頭回転操作工具によって前記ボルト頭を回転させることで、制動パットの上下高さ位置の調整ができるとともに制動パットを遊技機の天井面に圧接させて遊技機の移動を防止する、請求項１記載の遊技機の固定装置。
【請求項３】
前記制動パットが、左右に長い剛性ある取付板の上方に前記ねじ軸を貫通させるねじ孔を設け且つ同ねじ孔によってねじ軸の下端の下端拡巾部を係止して取付板を吊止する門型係止部を設け、又同取付板の下面に摩擦係数が高いゴム素材又はそれに代わるプラスチック素材のゴム層を摩擦面として接合した構造であり、前記昇降機構は取付部の取付部位の水平張出面に螺合された下端拡巾部を有する複数のねじ軸と，制動パットの前記門型係止部と，ねじ軸の軸頭の操作部とから構成される、請求項２記載の遊技機の固定装置。
【請求項４】
遊技場の設置台上の所定設置位置に載置された遊技機の固定装置であって、
設置された遊技機の上方又は後方位置で設置台側に固設された固定構造体と、設置された遊技機のケーシングの天井面に下面を圧接させるとその間の摩擦力で遊技機の動きを制止する摩擦係数が高い摩擦面を剛性ある取付板の下面に有する制動パットと、同制動パットをケーシングの天井面に向けて上下動させる昇降機構と、設置された遊技機のケーシングの天井面の上方位置に前記昇降機構を取付ける取付部位を有し且つ前記固定構造体に連結支持された取付部と、同取付部の取付部位に取付けられた前記昇降機構を操作によって制動パットの上下位置を調整できる操作部との構成を有し、操作部を操作して制動パットを遊技機のケーシングの天井面に圧接させることで遊技機を前後に動かすことを防止し、しかも前記固定構造体が、設置される遊技機の上方で遊技機のゲーム状態を示す表示ランプを取付けた幕板の下端を支持する設置台上方に固設された下方水平梁部材であって、前記取付部は同下方水平梁部材に連結支持され、又前記幕板の一部は開放可能であり、開放可能な幕板の位置の下方水平梁部材の奥端に取付部の前記昇降機構の取付部位を設け、開放された幕板の狭い空間から昇降機構の操作部を操作可能にし、更に前記昇降機構の取付部位が下方水平梁部材の奥端部であり、又取付ける昇降機構は同取付部位に略垂直に取付けられる直流又は交流電源で作動する電動シリンダー又は電磁ソレノイドであって、同電動シリンダーのシリンダーロッド又は電磁ソレノイドの可動鉄心の下端に前記制動パットを取付け、前記電動シリンダー又は電磁ソレノイドに通電のＯＮ／ＯＦＦを行う開閉スイッチを前記操作部とし、同開閉スイッチを下方水平梁部材の奥端位置に設け、更に同開閉スイッチを閉路させることができる作動部を先端部に取付け且つ開放された幕板の狭い空間から開閉操作できる操作棒を備えた、遊技機の固定装置。
【請求項５】
前記電動シリンダー又は電磁ソレノイドは通電されるとシリンダーロッド又は可動鉄心を上昇させて制動パットを遊技機の天井面から持ち上らせ、非通電では電動シリンダー又は電磁ソレノイドに付属させたスプリングでシリンダーロッド又は可動鉄心の下端に取付けた制動パットを下に付勢して制動パットを遊技機の天井面に圧接させる構造のものである、請求項４記載の遊技機の固定装置。
【請求項６】
操作部である開閉スイッチが、電源を給電・停電させる主電源スイッチと直列に設けられ、しかも開閉スイッチが所要の磁気又は光によって開閉動作する近接スイッチであり、前記操作棒の先端部には前記近接スイッチを閉作動させるに必要な磁気又は光を発生させる作動部を有する構造である、請求項４又は５記載の遊技機の固定装置。
【請求項７】
前記近接スイッチの配置位置と、これを作動させる操作棒の先端の作動部の配置位置とが特定の対応位置関係になければ、近接スイッチが閉路しないようにして不正な近接スイッチの作動を抑止した、請求項６記載の遊技機の固定装置。
【請求項８】
前記電動シリンダー又は電磁ソレノイドが通電されると点灯又は点滅する警告ランプが作動するように接続した、請求項４〜７いずれか記載の遊技機の固定装置。
【請求項９】
前記電動シリンダー又は電磁ソレノイドが通電されると所要の磁力線又は光を発生させる通電信号発進部を前記近接スイッチの近くに設け、操作棒の基端部に遊技機の制動パットによる制動がなされていないことを示す警告灯を設けるとともに、同警告灯は常開の第２のスイッチを介して内蔵電池と接続し、同第２のスイッチが閉じると警告灯は点滅又は点灯するものであり、しかも前記通電信号発進部からの磁力又は光を感知すると閉動作する前記第２のスイッチを前記操作棒の先端の作動部又はその近くに設け、操作棒で前記近接スイッチを閉して通電状態にすると前記通電信号発進部が作動して、操作棒の第２のスイッチが閉作動して操作棒の基端部の前記警告灯が点灯又は点滅するようにした、請求項６又は７記載の遊技機の固定装置。
【請求項１０】
前記制動パットの高い摩擦面となる取付板の下面が摩擦係数が高いゴム素材又はこれに代わる摩擦係数が高いプラスチック素材の軟質の肉厚のゴム板であり、しかもゴム板の肉厚が前方から後方に従って厚くなる三角形状とし、しかも取付板とゴム板との接触面も後方に従って高くなるようになっていて、前記ゴム板が遊技機の天井面に圧接されると遊技機の前方への移動をゴム板の摩擦力ばかりでなく楔力が働いて強く制止する、請求項１〜９いずれか記載の遊技機の固定装置。
【手続補正２】
【補正対象書類名】明細書
【補正対象項目名】０００７
【補正方法】変更
【補正の内容】
【０００７】
かかる課題を解決した本発明の構成は、
１）  遊技場の設置台上の所定設置位置に載置された遊技機の固定装置であって、
設置された遊技機の上方又は後方位置で設置台側に固設された固定構造体と、設置された遊技機のケーシングの天井面に下面を圧接させるとその間の摩擦力で遊技機の動きを制止する摩擦係数が高い摩擦面を剛性ある取付板の下面に有する制動パットと、同制動パットをケーシングの天井面に向けて上下動させる昇降機構と、設置された遊技機のケーシングの天井面の上方位置に前記昇降機構を取付ける取付部位を有し且つ前記固定構造体に連結支持された取付部と、同取付部の取付部位に取付けられた前記昇降機構を操作によって制動パットの上下位置を調整できる操作部との構成を有し、操作部を操作して制動パットを遊技機のケーシングの天井面に圧接させることで遊技機を前後に動かすことを防止し、しかも前記固定構造体が、設置された遊技機へメダルを補給するメダル補給路とその先端の補給ノズルとを保持し且つ設置された遊技機の後方で設置台に固設されたメダル補給路支持構造体であり、又前記取付部は同メダル補給路支持構造体の上部に連結支持されて設置された遊技機の天井面の上方位置まで延伸した取付連接部材の先端に昇降機構を取付けた取付部位を有する構造とし、同昇降機構の上部にその操作部を設け、更に設置される遊技機の上方に遊技機のゲーム状態を示す表示ランプを取付けた幕板を設け、前記取付部位の前方位置となる幕板の一部が開放可能とし、幕板の一部を開放して遊技機の前方上方から昇降機構の操作部を操作可能とした、遊技機の固定装置
２）  前記取付部の取付部位が、前記固定構造体に連結支持された左右に長い水平張出面を有し、同取付部位の水平張出面に垂直に前記ねじ軸を左右方向に所定間隔離して複数個螺合し、複数の前記ねじ軸の下端に設けた下部拡巾部で前記水平張出面下方に配置され且つ下面に摩擦係数が高い摩擦面を下面に有する左右に長い制動パットを吊止して前記ねじ軸の回転操作で制動パットの吊止位置の上下高さが調整できるとともに、ねじ軸の下部拡巾部の下端が制動パットの剛性ある取付板の上面を加圧できるようにし、又前記ねじ軸の上端にねじ軸を回転させるボルト頭を有し、同ボルト頭を操作部とし、同操作部を遊技機の前方上方から手又は長いねじ頭回転操作工具によって前記ボルト頭を回転させることで、制動パットの上下高さ位置の調整ができるとともに制動パットを遊技機の天井面に圧接させて遊技機の移動を防止する、前記１）記載の遊技機の固定装置
３）  前記制動パットが、左右に長い剛性ある取付板の上方に前記ねじ軸を貫通させるねじ孔を設け且つ同ねじ孔によってねじ軸の下端の下端拡巾部を係止して取付板を吊止する門型係止部を設け、又同取付板の下面に摩擦係数が高いゴム素材又はそれに代わるプラスチック素材のゴム層を摩擦面として接合した構造であり、前記昇降機構は取付部の取付部位の水平張出面に螺合された下端拡巾部を有する複数のねじ軸と，制動パットの前記門型係止部と，ねじ軸の軸頭の操作部とから構成される、前記２）記載の遊技機の固定装置
４）  遊技場の設置台上の所定設置位置に載置された遊技機の固定装置であって、
設置された遊技機の上方又は後方位置で設置台側に固設された固定構造体と、設置された遊技機のケーシングの天井面に下面を圧接させるとその間の摩擦力で遊技機の動きを制止する摩擦係数が高い摩擦面を剛性ある取付板の下面に有する制動パットと、同制動パットをケーシングの天井面に向けて上下動させる昇降機構と、設置された遊技機のケーシングの天井面の上方位置に前記昇降機構を取付ける取付部位を有し且つ前記固定構造体に連結支持された取付部と、同取付部の取付部位に取付けられた前記昇降機構を操作によって制動パットの上下位置を調整できる操作部との構成を有し、操作部を操作して制動パットを遊技機のケーシングの天井面に圧接させることで遊技機を前後に動かすことを防止し、しかも前記固定構造体が、設置される遊技機の上方で遊技機のゲーム状態を示す表示ランプを取付けた幕板の下端を支持する設置台上方に固設された下方水平梁部材であって、前記取付部は同下方水平梁部材に連結支持され、又前記幕板の一部は開放可能であり、開放可能な幕板の位置の下方水平梁部材の奥端に取付部の前記昇降機構の取付部位を設け、開放された幕板の狭い空間から昇降機構の操作部を操作可能にし、更に前記昇降機構の取付部位が下方水平梁部材の奥端部であり、又取付ける昇降機構は同取付部位に略垂直に取付けられる直流又は交流電源で作動する電動シリンダー又は電磁ソレノイドであって、同電動シリンダーのシリンダーロッド又は電磁ソレノイドの可動鉄心の下端に前記制動パットを取付け、前記電動シリンダー又は電磁ソレノイドに通電のＯＮ／ＯＦＦを行う開閉スイッチを前記操作部とし、同開閉スイッチを下方水平梁部材の奥端位置に設け、更に同開閉スイッチを閉路させることができる作動部を先端部に取付け且つ開放された幕板の狭い空間から開閉操作できる操作棒を備えた、遊技機の固定装置
５）  前記電動シリンダー又は電磁ソレノイドは通電されるとシリンダーロッド又は可動鉄心を上昇させて制動パットを遊技機の天井面から持ち上らせ、非通電では電動シリンダー又は電磁ソレノイドに付属させたスプリングでシリンダーロッド又は可動鉄心の下端に取付けた制動パットを下に付勢して制動パットを遊技機の天井面に圧接させる構造のものである、前記４）記載の遊技機の固定装置
６）  操作部である開閉スイッチが、電源を給電・停電させる主電源スイッチと直列に設けられ、しかも開閉スイッチが所要の磁気又は光によって開閉動作する近接スイッチであり、前記操作棒の先端部には前記近接スイッチを閉作動させるに必要な磁気又は光を発生させる作動部を有する構造である、前記４）又は５）記載の遊技機の固定装置
７）  前記近接スイッチの配置位置と、これを作動させる操作棒の先端の作動部の配置位置とが特定の対応位置関係になければ、近接スイッチが閉路しないようにして不正な近接スイッチの作動を抑止した、前記６）記載の遊技機の固定装置
８）  前記電動シリンダー又は電磁ソレノイドが通電されると点灯又は点滅する警告ランプが作動するように接続した、前記４）〜７）いずれか記載の遊技機の固定装置
９）  前記電動シリンダー又は電磁ソレノイドが通電されると所要の磁力線又は光を発生させる通電信号発進部を前記近接スイッチの近くに設け、操作棒の基端部に遊技機の制動パットによる制動がなされていないことを示す警告灯を設けるとともに、同警告灯は常開の第２のスイッチを介して内蔵電池と接続し、同第２のスイッチが閉じると警告灯は点滅又は点灯するものであり、しかも前記通電信号発進部からの磁力又は光を感知すると閉動作する前記第２のスイッチを前記操作棒の先端の作動部又はその近くに設け、操作棒で前記近接スイッチを閉して通電状態にすると前記通電信号発進部が作動して、操作棒の第２のスイッチが閉作動して操作棒の基端部の前記警告灯が点灯又は点滅するようにした、前記６）又は７）記載の遊技機の固定装置
１０）  前記制動パットの高い摩擦面となる取付板の下面が摩擦係数が高いゴム素材又はこれに代わる摩擦係数が高いプラスチック素材の軟質の肉厚のゴム板であり、しかもゴム板の肉厚が前方から後方に従って厚くなる三角形状とし、しかも取付板とゴム板との接触面も後方に従って高くなるようになっていて、前記ゴム板が遊技機の天井面に圧接されると遊技機の前方への移動をゴム板の摩擦力ばかりでなく楔力が働いて強く制止する、前記１）〜９）いずれか記載の遊技機の固定装置
にある。